【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
限られた帯域幅の通信ネットワークを用いてデータをストリーミングする方法において、
レート変換器手段を用いてビットレートストリームを低減するステップと、
喪失したデータパケットを、コンテンツのフォーマット及び／又は年齢に従い再送するために優先付けするステップと、
前記データパケットを前記優先付けに従って再送するステップと、
を有することを特徴とする方法。
【請求項２】
請求項１に記載の方法において、前記優先付けするステップは、前記データパケットを、オーディオデータパケット及びビデオデータパケットを含み、コンテンツのタイプに従って定義するステップを含んでいることを特徴とする方法。
【請求項３】
請求項１又は請求項２に記載の方法において、前記優先付けするステップは、Ｉフレーム、Ｐフレーム及びＢフレームを含む３つのビデオタイプを定義するステップを含むことを特徴とする方法。
【請求項４】
請求項１ないし３の何れか一項に記載の方法において、前記優先付けするステップは、各データパケットタイプに対して重み付け係数を定義するステップを含んでいることを特徴とする方法。
【請求項５】
請求項４に記載の方法において、前記重み付け係数は、前記喪失したデータパケットのシーケンス番号を一番最近に正しく受信されたデータパケットのシーケンス番号から減算することにより算出されるデータパケットの"年齢"係数により、
Ｐ＝Ｗｘ(Ｓ−ｓ)
のように乗算され、ここでＰは優先度であり、Ｗｘは当該データパケットの前記重み付け係数であり、Ｓは前記一番最近に正しく受信されたデータパケットのシーケンス番号であり、ｓは前記喪失したデータパケットのシーケンス番号であることを特徴とする方法。
【請求項６】
請求項４又は請求項５に記載の方法において、前記データパケットタイプに対する前記重み付け係数Ｗは：
（ｉ）オーディオ；
（ii）Ｉフレーム；
（iii）Ｐフレーム；
（iv）Ｂフレーム、
のように重要度の降順であることを特徴とする方法。
【請求項７】
請求項６に記載の方法において、前記データパケットを、最高値のＰを持つデータパケットを最初に再送し、その後にＰの値の減少に従う順序で再送し、最低値のＰを持つデータパケットを最後に再送するステップを有していることを特徴とする方法。
【請求項８】
請求項１ないし７の何れか一項に記載の方法において、新たなデータパケットが受信された場合に再送タイマを増加させるステップと、前記タイマの或る間隔でデータパケットを要求するステップとを有することを特徴とする方法。
【請求項９】
請求項８に記載の方法において、データパケットを受信しない或る期間の後に前記再送タイマを増加させるステップを更に有していることを特徴とする方法。
【請求項１０】
請求項１ないし７の何れか一項に記載の方法において、再送コマンドを前記再送タイマの或る間隔でのみ送信するステップを有していることを特徴とする方法。
【請求項１１】
請求項１ないし１０の何れか一項に記載の方法において、前記限られた帯域幅の通信ネットワークが無線ネットワークを有することを特徴とする方法。
【請求項１２】
デジタルコンピュータの内部メモリに直接ロード可能なコンピュータプログラム製品であって、該コンピュータプログラム製品がコンピュータ上で動作された場合に請求項１ないし１１の少なくとも何れか一項におけるステップを実行するソフトウェアコード部分を有していることを特徴とするコンピュータプログラム製品。
【請求項１３】
前記コンピュータプログラム製品がコンピュータ上で動作された場合に、請求項１ないし１１の少なくとも何れか一項におけるステップを実行するコンピュータプログラム。
【請求項１４】
限られた帯域幅の通信ネットワークを用いてデータをストリーミングするシステムにおいて、
レート変換器手段と、
データパケットを前記レート変換器手段に入力して、ビットレートストリームを低減する手段と、
喪失したデータパケットを、コンテンツのフォーマット及び／又は年齢に従い再送するために優先付けする手段と、
前記喪失したデータパケットを前記優先付けに従って再送する手段と、
を有することを特徴とするシステム。
【請求項１５】
請求項１４に記載のシステムにおいて、前記優先付けする手段は、前記データパケットを、オーディオデータパケット及びビデオデータパケットを含み、コンテンツのタイプに従って定義する手段を含んでいることを特徴とするシステム。
【請求項１６】
請求項１４又は請求項１５に記載のシステムにおいて、前記優先付けする手段は、Ｉフレーム、Ｐフレーム及びＢフレームを含む３つのビデオタイプを定義する手段を含むことを特徴とするシステム。
【請求項１７】
請求項１４ないし１６の何れか一項に記載のシステムにおいて、前記優先付けする手段は、各データパケットタイプに対して重み付け係数を定義する手段を含んでいることを特徴とするシステム。
【請求項１８】
請求項１７に記載のシステムにおいて、前記重み付け係数は、前記喪失したデータパケットのシーケンス番号を一番最近に正しく受信されたデータパケットのシーケンス番号から減算することにより算出されるデータパケットの"年齢"係数により、
Ｐ＝Ｗｘ(Ｓ−ｓ)
のように乗算され、ここでＰは優先度であり、Ｗｘは当該データパケットの前記重み付け係数であり、Ｓは前記一番最近に正しく受信されたデータパケットのシーケンス番号であり、ｓは前記喪失したデータパケットのシーケンス番号であることを特徴とするシステム。
【請求項１９】
請求項１７又は請求項１８に記載のシステムにおいて、前記データパケットタイプに対する前記重み付け係数Ｗは：
（ｉ）オーディオ；
（ii）Ｉフレーム；
（iii）Ｐフレーム；
（iv）Ｂフレーム、
のように重要度の降順であることを特徴とするシステム。
【請求項２０】
請求項１９に記載のシステムにおいて、前記データパケットを、最高値のＰを持つデータパケットを最初に再送し、その後にＰの値の減少に従う順序で再送し、最低値のＰを持つデータパケットを最後に再送する手段を有していることを特徴とするシステム。
【請求項２１】
請求項１４ないし２０の何れか一項に記載のシステムにおいて、新たなデータパケットが受信された場合に再送タイマを増加させ、前記タイマの或る間隔でデータパケットを要求する手段を有することを特徴とするシステム。
【請求項２２】
請求項２１に記載のシステムにおいて、データパケットを受信しない或る期間の後に前記再送タイマを増加させる手段を更に有していることを特徴とするシステム。
【請求項２３】
請求項１４ないし２２の何れか一項に記載のシステムにおいて、再送コマンドを前記再送タイマの或る間隔でのみ送信する手段を有していることを特徴とするシステム。
【請求項２４】
請求項１４ないし２３の何れか一項に記載のシステムにおいて、前記限られた帯域幅の通信ネットワークが無線ネットワークを有することを特徴とするシステム。
【請求項２５】
限られた帯域幅の通信ネットワークを用いてデータをストリーミングする装置において、
レート変換器手段と、
データパケットを前記レート変換器手段に入力して、ビットレートストリームを低減する手段と、
喪失したデータパケットを、コンテンツのフォーマット及び／又は年齢に従い再送するために優先付けする手段と、
前記喪失したデータパケットを前記優先付けに従って再送する手段と、
を有することを特徴とする装置。
【請求項２６】
請求項２５に記載の装置において、前記優先付けする手段が、
前記データパケットを、オーディオデータパケット及びビデオデータパケットを含み、コンテンツのタイプに従って定義する手段、
Ｉフレーム、Ｐフレーム及びＢフレームを有する３つのビデオタイプを定義する手段、
各データパケットタイプに対して、重み係数を定義する手段、
の少なくとも１つを含むことを特徴とする装置。
【請求項２７】
請求項２６に記載の装置において、前記重み付け係数は、前記喪失したデータパケットのシーケンス番号を一番最近に正しく受信されたデータパケットのシーケンス番号から減算することにより算出されるデータパケットの"年齢"係数により、
Ｐ＝Ｗｘ(Ｓ−ｓ)
のように乗算され、ここでＰは優先度であり、Ｗｘは当該データパケットの前記重み付け係数であり、Ｓは前記一番最近に正しく受信されたデータパケットのシーケンス番号であり、ｓは前記喪失したデータパケットのシーケンス番号であることを特徴とする装置。
【請求項２８】
請求項２６又は請求項２７に記載の装置において、前記データパケットタイプに対する前記重み付け係数Ｗは：
（ｉ）オーディオ；
（ii）Ｉフレーム；
（iii）Ｐフレーム；
（iv）Ｂフレーム、
のように重要度の降順であることを特徴とする装置。
【請求項２９】
請求項２７に記載の装置において、前記データパケットを、最高値のＰを持つデータパケットを最初に再送し、その後にＰの値の減少に従う順序で再送し、最低値のＰを持つデータパケットを最後に再送する手段を有していることを特徴とする装置。